(57)【要約】【課題】撮影対象に応じて適切な録音状態を得ることができる携帯端末装置を提供すること。【解決手段】撮影用の電子カメラ１２３を搭載した携帯端末装置において、電子カメラ１２３の撮影方向を検出し、この検出結果に応じてマイクのゲインを制御する。たとえば、電子カメラ１２３の撮影方向が携帯電話の裏面側に向けて設定されている場合、マイクゲインが高く設定される。また、電子カメラ１２３の撮影方向が正面側、即ち利用者自身側に設定されている場合、マイクゲインは所定値に設定される。これにより、被写体とマイク１１１との位置関係に応じて適切なマイクゲインが設定され、被写体の音声等を適切に集音することが可能となる。【選択図】  図１
2004312144.tif 000002
【特許請求の範囲】
【請求項１】
撮影装置と集音装置とを搭載した携帯端末装置であって、前記撮影装置の撮影方向を検出する検出手段と、前記検出手段の検出結果に応じて前記集音装置のゲインを制御する制御手段とを備えたことを特徴とする携帯端末装置。
【請求項２】
前記撮影装置がズーム機能を有し、前記制御手段が、前記撮影装置のズーム倍率に応じて前記集音装置のゲインを設定することを特徴とする請求項１に記載の携帯端末装置。
【請求項３】
前記集音装置のゲインを前記制御手段により制御するモードと前記ゲインを所定値に固定するモードとを切り替える機能をさらに備えたことを特徴とする請求項１または２に記載の携帯端末装置。
【請求項４】
前記所定値が、利用者が発する音声を集音するために適した値、またはミュート状態を示す値の何れかであることを特徴とする請求項３に記載の携帯端末装置。
【発明の詳細な説明】
【０００１】
【発明の属する技術分野】
本発明は、電子カメラを搭載した携帯電話等の携帯端末装置に関し、特に撮影操作に連動した録音技術に関する。
【０００２】
【従来の技術】
近年、携帯電話に代表される携帯端末装置の多機能化が進み、小型の電子カメラを搭載したものが普及してきた（特許文献１参照）。この種の携帯電話の初期のタイプでは、電子カメラが本体に固定されたものが殆どであり、その撮影方向を切り替える機能を搭載していない。しかし、携帯電話の機能の多様化に伴い、電子カメラを回転させる機構を備えることにより撮影方向の切り替えが可能となり、利用者自身を撮影する場合や他者を撮影する際の操作性等が改善されている。また、この種の携帯電話は、撮影と同時に録音する機能を搭載しており、これにより臨場感に富んだ情報を生成することが可能となっている。
【０００３】
【特許文献１】
特開平１１−１３６５５４号公報
【０００４】
【発明が解決しようとする課題】
しかしながら、上述の従来技術に係る携帯端末装置によれば、撮影対象に関わりなく、録音レベルが一定に固定されているので、利用者自身を撮影する場合には録音レベルが適切であったとしても、携帯電話から離れた位置にいる他者を撮影する場合には録音レベルが足りず、撮影対象となっている相手の音声等を適切に録音することができない場合があるという問題があった。
【０００５】
本発明は、上記問題を解決するためになされたものであり、撮影対象に応じて適切な録音状態を得ることができる携帯端末装置を提供することを目的とする。
【０００６】
【課題を解決するための手段】
上記目的を達成するために、請求項１に記載の発明に係る携帯端末装置は、撮影装置と集音装置とを搭載した携帯端末装置であって、前記撮影装置の撮影方向を検出する検出手段と、前記検出手段の検出結果に応じて前記集音装置のゲインを制御する制御手段とを備えたことを特徴とする。
【０００７】
請求項２に記載の発明に係る携帯端末装置は、請求項１に記載の発明に係る携帯端末装置において、前記撮影装置がズーム機能を有し、前記制御手段が、前記撮影装置のズーム倍率に応じて前記集音装置のゲインを設定することを特徴とする。
【０００８】
請求項３に記載の発明に係る携帯端末装置は、請求項１または２に記載の発明に係る携帯端末装置において、前記集音装置のゲインを前記制御手段により制御するモードと前記ゲインを所定値に固定するモードとを切り替える機能をさらに備えたことを特徴とする。
【０００９】
請求項４に記載の発明に係る携帯端末装置は、請求項３に記載の発明に係る携帯端末装置において、前記所定値が、利用者が発する音声を集音するために適した値、またはミュート状態を示す値の何れかであることを特徴とする。
【００１０】
【発明の実施の形態】
以下、図面を参照し、本発明の一実施形態に係る携帯端末装置について、携帯電話を例として説明する。
図１に、本実施携帯に係る携帯電話１００の外観を概略的に示す。同図（ａ）は携帯電話１００の正面側を示し、同図（ｂ）は裏面側を示す。この携帯電話１００は、撮影装置と集音装置とを搭載した折り畳み式の携帯電話であって、本体部１１０と蓋体部１２０とから構成され、これら本体部１１０と蓋体部１２０とが開閉自在に連結されている。本体部１１０には、送話用のマイク１１１や数字キー（図示省略）などの各種の入力キーが設けられており、この本体部１２０の内部には、携帯電話として必要とされる制御や各種の情報処理を実行するための回路基板が組み込まれている。本実施形態では、後述する撮影モード時の集音用のマイク（集音装置）として送話用のマイク１１１が兼用される。
【００１１】
また、蓋体部１２０には、表示部１２１、受話用のスピーカ１２２が設けられると共に、ズーム機能を有する小型の電子カメラ１２３（撮影装置）が搭載されている。電子カメラ１２３は、回転自在となっており、これにより撮影方向を手動で切り替え可能となっている。図２（ａ）に、電子カメラ１２３の周辺構造を示す。同図は、蓋体部１２０の側視断面である。同図に示すように、電子カメラ１２３は回転体１２４に固定されており、この回転体１２４が蓋体部１２０に回転自在に取り付けられている。回転体１２４を手動で１８０°回転させることにより、電子カメラ１２３の撮影方向を携帯電話１００の正面側（自身側）と裏面側（相手側）とに切り替えるものとなっている。また、回転体１２４の上方と下方には、電子カメラ１２３の撮影方向を検出するための検出スイッチ１２５Ａ，１２５Ｂが配置され、回転体１２４の外周部には検出スイッチ１２５Ａ，１２５Ｂを押圧するための突起１２４Ａが設けられている。
【００１２】
突起１２４Ａは、回転体１２４の回転角度、即ち電子カメラ１２３の撮影方向の向きに応じて検出スイッチ１２５Ａ，１２５Ｂの何れか一方を押圧し、これにより電子カメラ１２３の撮影方向を検出するようになっている。図２（ｂ）に、検出スイッチ１２５Ａ，１２５Ｂの状態（オン・オフ）と撮影方向との関係を示す。この例では、電子カメラ１２３の撮影方向が利用者自身側、即ち携帯電話１００の正面側に設定されたときに検出スイッチ１２５Ａがオン状態となり、検出スイッチがオフ状態となる。逆に、電子カメラ１２３の撮影方向が相手側、即ち携帯電話１００の裏面側に設定されたときには検出スイッチ１２５Ａがオフ状態となり、検出スイッチがオン状態となる。検出スイッチ１２５Ａ，１２５Ｂとしては、画像の表示状態を制御するための既存のスイッチを流用できる。即ち、電子カメラの撮影方向を反転させると、表示部１２１に映し出される画像も反転させる必要があるため、この種の携帯電話は撮影方向を検出するためのスイッチを予め搭載している。このスイッチを上述の検出スイッチ１２５Ａ，１２５Ｂとして流用することができる。
【００１３】
また、この携帯電話１００は、上述の検出スイッチ１２５Ａ，１２５Ｂの検出結果に応じてマイク１１１のゲイン（以下、マイクゲインと称す）を制御するための制御部（図示なし）を有している。この制御部によるマイクゲインの設定例を図３に示す。カメラモードにおいて、撮影モードが「自身撮影」では、電子カメラ１２３の撮影方向が自身側に設定されており、また、「割り込み撮影」では、電子カメラ１２３の撮影方向が自身側または相手側に設定されており、さらに、「相手撮影」、「ズーム撮影Ａ」、「ズーム撮影Ｂ」では、電子カメラ１２３の撮影方向が相手側に設定されている。これらの撮影モードに応じて、図３に示すようにマイクゲインとして値「Ｇ１」〜「Ｇ５」が設定される。
【００１４】
本実施形態では、マイクゲインの値「Ｇ１」と値「Ｇ２」は等しく、これらは利用者自身の集音に適切な値となっている。また、値「Ｇ２」〜値「Ｇ５」の大小関係は、「Ｇ２＜Ｇ３＜Ｇ４＜Ｇ５」となっている。このうち、値「Ｇ３」は利用者以外の近くの被写体となる相手の音声を適切に集音する値となっている。また、値「Ｇ４」は中望遠で撮影する必要がある程度に離れ位置にいる相手の音声を適切に集音する値となっている。さらに、値「Ｇ５」は望遠で撮影する必要がある程度に離れた位置にいる相手の音声を適切に集音する値となっている。なお、上述の撮影モードのうち、「割り込み撮影」については本体部１１０に設けられた割り込みキーを利用者が操作することにより設定され、その他の撮影モードについては、上述の検出スイッチの状態やズームの設定状態から自動的に内部の制御部が判断する。この割り込みキーを操作することにより、マイク１１１のゲインを上述の制御部により制御するモードと所定値に固定するモードとに切り替えることができる。この所定値は、利用者が発する音声を集音するために適した値、またはミュート状態を示す値の何れかを選択することができる。本実施形態では、利用者が発する音声を集音するために適した値に所定値が設定されているものとする。
【００１５】
次に、この実施形態に係る携帯電話の動作について、マイクゲインの制御に着目し、図４に示すフローに沿って説明する。
先ず、携帯電話１００に搭載された電子カメラ１２３で利用者自身を撮影する場合を説明する。利用者は手動で電子カメラ１２３の撮影方向を自身側に切り替え、キー操作によりカメラモードを動作させる（ステップＳ０）。カメラモードは、電子カメラ１２３で動画を撮影するモードである。この状態で表示部１２１には電子カメラ１２３によって撮影される画像が写し出される。さらに、この状態でズーム倍率をキー操作により設定できる。カメラモードになると、上述のマイクゲインの制御部は、検出スイッチ１２５Ａがオン状態が否か、即ち撮影方向が自身側に設定されているか否かを判断する（ステップＳ１）。検出スイッチ１２５Ａがオン状態であれば（ステップＳ１；Ｙｅｓ）、制御部は、続いて割り込みキーがオン状態か否かを判断する（ステップＳ２）。割り込みキーがオン状態ではない場合（ステップＳ２；Ｎｏ）、マイクゲインを値「Ｇ１」に設定する。これにより、利用者がシャッターキーを操作すると、自分自身を被写体として撮影及び録画を行いながら、自身の音声によるメッセージがマイク１１１で集音されて録音される。ここで、本実施形態での録画と録音とは、制御部が撮影した動画像及び集音した音をそれぞれ所定の圧縮方式にてデータ圧縮された動画像データファイルと音声データファイルにして記録手段（図示せず）のデータフォルダに記憶することである。
【００１６】
次に、電子カメラ１２３で相手を撮影する場合を説明する。利用者は手動で電子カメラ１２３の撮影方向を相手側に設定し、キー操作によりカメラモードを動作させる（ステップＳ０）。このとき、表示部１２１の映像を見ながらズーム倍率を設定することができる。この場合、検出スイッチ１２５Ａがオン状態にはなく（ステップＳ１；Ｎｏ）、且つ検出スイッチ１２５Ｂがオン状態になっていると判断される（ステップＳ５；Ｙｅｓ）。制御部は、続いてズーム撮影の有無を判断する（ステップＳ６）。ズーム撮影ではない場合（ステップＳ６；Ｙｅｓ）、制御部は、割り込みキーがオン状態か否かを判断し（ステップＳ７）、割り込みキーがオン状態ではない場合（ステップＳ７；Ｎｏ）、マイクゲインを値「Ｇ３」に設定する。これにより、利用者が比較的近くの相手を被写体として撮影を行いながら、相手の音声がマイク１１１で集音される。このとき、マイクゲインは上述の値「Ｇ１」よりも大きな値「Ｇ３」に設定されるので、相手が携帯電話から離れていても、その音声を適切に集音することができる。
【００１７】
次に、電子カメラ１２３で相手を中望遠ズームで撮影する場合を説明する。利用者は手動で電子カメラ１２３の撮影方向を相手側に設定すると共に、キー操作により中望遠に相当するズーム倍率ＺＡを設定してカメラモードを動作させる（ステップＳ０）。この場合、検出スイッチ１２５Ａがオン状態にはなく（ステップＳ１；Ｎｏ）、検出スイッチ１２５Ｂがオン状態にあり（ステップＳ５；Ｙｅｓ）、且つズーム撮影が設定された状態にあると判断される（ステップＳ６；Ｎｏ）。制御部は、続いて中望遠に相当するズーム倍率ＺＡが設定されているか否か判断する（ステップＳ１０）。ズーム倍率ＺＡが設定されている場合（ステップＳ１０；Ｙｅｓ）、制御部は、割り込みキーがオン状態か否かを判断し（ステップＳ１１）、割り込みキーがオン状態ではない場合（ステップＳ１１；Ｎｏ）、マイクゲインを値「Ｇ４」に設定する。これにより、利用者が比較的遠方に位置する相手を被写体として撮影を行いながら、相手の音声がマイク１１１で集音される。このとき、マイクゲインは上述の値「Ｇ３」よりも大きな値「Ｇ４」に設定されるので、比較的遠方の相手の音声を適切に集音することができる。
【００１８】
次に、電子カメラ１２３で相手を望遠ズームで撮影する場合を説明する。利用者は手動で電子カメラ１２３の撮影方向を相手側に設定すると共に、キー操作によりズーム倍率ＺＢを設定してカメラモードを動作させる（ステップＳ０）。この場合、検出スイッチ１２５Ａがオン状態にはなく（ステップＳ１；Ｎｏ）、検出スイッチ１２５Ｂがオン状態にあり（ステップＳ５；Ｙｅｓ）、ズーム撮影が設定されており（ステップＳ６；Ｎｏ）、且つズーム倍率ＺＡが設定されていないと判断される（ステップＳ１０；Ｎｏ）。制御部は、続いて望遠に相当するズーム倍率ＺＢが設定されているか否か判断する（ステップＳ１４）。ズーム倍率ＺＢが設定されている場合（ステップＳ１１；Ｙｅｓ）、制御部は、割り込みキーがオン状態か否かを判断し（ステップＳ１５）、割り込みキーがオン状態ではない場合（ステップＳ１５；Ｎｏ）、マイクゲインを値「Ｇ５」に設定する。これにより、利用者が遠方に位置する相手を被写体として撮影を行いながら、相手の音声がマイク１１１で集音される。このとき、マイクゲインは上述の値「Ｇ４」よりも大きな値「Ｇ５」に設定されるので、遠方の相手の音声を適切に集音することができる。
【００１９】
上述の撮影の途中で、例えば利用者自身がコメントを録音する場合、割り込みキーを操作する。このスイッチ操作の間、マイクゲインが所定値「Ｇ２」に一時的に設定され、利用者の音声の集音に適した値に設定される。即ち、上述のステップＳ２，Ｓ７，Ｓ１１，Ｓ１５において、割り込みキーがオン状態にあると判断され、マイクゲインが値「Ｇ２］に設定される（ステップＳ３，Ｓ８，Ｓ１２，Ｓ１６）。これにより、マイクゲインを高い値に設定して相手の音声を集音している途中に利用者自身のコメントを挟んでも、利用者自身の音声を適切に集音することができる。なお、録画と録音は、シャッターキーを操作（押圧操作）している間、継続できる。
【００２０】
上述のように、撮影モード時の集音用マイクとして携帯電話の通話用の固定された送話用のマイクを兼用する場合、マイク１１１と被写体との位置関係によってはマイクゲインを上げる必要が出てくる。このような場合、本実施形態によれば、制御部が電子カメラ１２３の撮影方向やズーム倍率に応じてマイク１１１のゲインを設定する。即ち、電子カメラ１２３の撮影方向を検出し、その撮影方向が相手側に設定されている場合にマイクゲインを通常よりも上げる。また、被写体である相手側をズーム撮影（デジタルズーム、光学ズーム）する場合には、そのズーム倍率に応じてマイクゲインを設定する。さらには、マイクゲインの割り込みキーがオフ状態であれば利用者自身である撮影者に合わせてマイクゲインが設定され、割り込みキーがオン状態であれば、マイクゲインがズーム倍率に応じて切り替えられる。
【００２１】
以上、この発明の一実施形態を説明したが、この発明は、この実施の形態に限られるものではなく、この発明の要旨を逸脱しない範囲の設計変更等があっても本発明に含まれる。例えば、上述の実施形態では、撮影方向が相手側に設定された場合、ズーム倍率に応じてマイクゲインを設定するものとしたが、単に撮影方向が自身側か相手側かに応じてメイクゲインを２値的に制御するようにしてもよい。また、割り込みキーを操作した場合には、利用者が発する音声を集音するために適した値にマイクゲインを制御するようにしたが、マイク入力をミュート状態に制御してもよい。これにより、録音内容が無音状態となり、他人に聞かれたくない音声等を任意にカットすることができる。
また、シャッターキーを操作後、撮影方向の切り替え及び／又はズーム倍率の設定変更を行えるようにして、これらに連動してマイクゲインの設定を変更するようにしてもよい。
また、上述の実施形態では、動画像を録画する例であるが、静止画像を録画するものに本発明を適用してもよい。
さらに、上述の実施形態では、撮影及び集音した画像と音声をメモリのデータファイルに記憶するが、携帯電話機能により動画像及び音声をリアルタイムで通信相手に送信してもよい。
【００２２】
【発明の効果】
以上説明したように、本発明によれば、撮影装置の撮影方向を検出し、この検出結果に応じて集音装置のゲインを制御するようにしたので、被写体との位置関係に応じて距離に応じて集音装置のゲインを適切に設定することが可能になり、従って撮影対象に応じて適切な録音状態を得ることができる。
【図面の簡単な説明】
【図１】本発明の実施形態に係る携帯端末装置の外観を概略的に示す斜視図図である。
【図２】本発明の実施形態に係る電子カメラを説明するための図である。
【図３】本発明の実施形態に係るマイクゲインの設定例を示す図である。
【図４】本発明の実施形態に係る携帯電話の動作の流れを示すフローチャートである。
【符号の説明】
１００；携帯電話、１１０；本体部、１１１；マイク、１２０；蓋体部、１２１；表示部、１２２；スピーカ、１２３；電子カメラ、１２４；回転体、１２４Ａ；突起、１２５Ａ，１２５Ｂ；検出スイッチ。
【図１】
2004312144.tif 000003
【図２】
2004312144.tif 000004
【図３】
2004312144.tif 000005
【図４】
2004312144.tif 000006